(57)【特許請求の範囲】
【請求項１】
ドアノブに設けられた施錠装置の鍵孔を封鎖する鍵孔封鎖装置であって、
前記鍵孔に挿入されるダミーキーと、
一対の脚板の一端部同士が回動自在に連結固定され他端部が開脚自在となり中央部に前記ドアノブの基軸を挟む湾曲部の形成された挟着具と、
該挟着具の他端部に螺合して該他端部の開脚を阻止することで該挟着具を前記基軸へ脱落不能に挟着するネジ杆と、
相互に係止・離脱可能となりいずれか一方が前記挟着具の一端部に固設されかつ特定の操作のみによって係止が解除されるロック機構部材及び着脱部材と、
前記ダミーキーに挿通され一端部が前記ネジ杆に固定され他端部が前記ロック機構部材又は着脱部材のいずれか他方に固定され前記鍵孔からの前記ダミーキーの抜脱を阻止する可撓線材と、
を具備したことを特徴とする鍵孔封鎖装置。
【請求項２】
前記可撓線材が鎖であることを特徴とする請求項１記載の鍵孔封鎖装置。
【請求項３】
前記挟着具の一端部と他端部の双方に、前記ロック機構部材又は着脱部材の一方がそれぞれ固設され、
前記可撓線材の一端部と他端部の双方に、前記ロック機構部材又は着脱部材の他方がそれぞれ固設されたことを特徴とする請求項１記載の鍵孔封鎖装置。
【請求項４】
前記ロック機構部材が、それぞれ所定の回転位置への回転によって前記着脱部材に対する係止を解除する複数の係止解除操作リングを有することを特徴とする請求項１記載の鍵孔封鎖装置。
【請求項５】
前記ロック機構部材が、それぞれ所定のスライド位置への移動によって前記着脱部材に対する係止を解除する複数の係止解除操作スライダを有することを特徴とする請求項１記載の鍵孔封鎖装置。
【発明の詳細な説明】
【０００１】
【発明の属する技術分野】
本発明は、施錠装置の鍵孔に挿着される鍵孔封鎖装置に関し、さらに詳しくは、鍵孔に特殊工具等を用いて不正解錠するいわゆるピッキングの実行を困難にするピッキング防止技術に関する。
【０００２】
【従来の技術】
ドア用の施錠装置としては、ドアノブに内蔵することで、錠箱を省略して、コンパクト化を図るものがある。一般的に、この種の施錠装置にはシリンダータイプの施錠装置が用いられ、この場合、鍵孔は、ドアノブの端面に開口することになる。
例えばシリンダータイプの施錠装置には、鍵孔に挿入されるキーのきざみに応じて移動され、鍵孔の形成された内筒をこの内筒に外挿された外筒に対し回転規制解除して施錠装置を施解錠させる複数のタンブラーが設けられている。
施錠装置は、シリンダー内に設けられるこのタンブラー形状によって、ピンタイプとディスクタイプとに大別できる。
【０００３】
ピンタイプのタンブラーを有するピンシリンダーは、図９に示すように、キーを抜きとった状態でタンブラーピン１がスプリング３に押され、外筒５と内筒７を貫いているため、内筒７を回転させることができない。
一方、図１０に示すように、このシリンダーの合カギであるキー９を差し込むと、タンブラーピン１が持ち上げられ、タンブラーピン１のシアライン１１がそろい、内筒７を回転させることができる。
【０００４】
また、ディスクタイプのタンブラーを有するディスクシリンダーは、図示を省略するが、キーを抜きとった状態で、ディスクタンブラーが、タンブラーバネによって押され外筒の溝に突出する。この状態で内筒を回転させようとしても、ディスクタンブラーが外筒の溝に係合状態となり、このディスクタンブラーに阻まれて、内筒を回転させることができない。
一方、このシリンダーの合カギであるキーを差し込むと、ディスクタンブラーはキーのきざみによってスプリングに抗してスライド移動し、シアラインがそろい、これにより、内筒を回転させることができる。
【０００５】
【発明が解決しようとする課題】
しかしながら、今日、不正解錠、特にピッキングと言われる特殊な工具を用いることで鍵孔内のタンブラーを操作し、解錠を行い室内に侵入する犯罪が多発している。
このような不正解錠に対しては、施錠装置のシリンダー部分をピッキング困難なものと交換することで、不正解錠を未然に防ぐことは可能であるが、容易な分解等が行えないようにしている施錠装置の構造上、簡単に取り替えられない場合もあり（ドアノブごとの交換、さらには扉ごとの交換が必要になる場合等もある。）、また、機能を向上させることで高価なものとなり、容易に実施可能な対策となっていない。
【０００６】
また、ピッキング被害に合うと、解錠されなかった場合であっても、タンブラーが破損する場合があり、このような場合には結局施錠装置やドアノブ全体を交換しなければならなくなった。
【０００７】
本発明は上記状況に鑑みてなされたもので、ドアノブに設けられた施錠装置に対する不正解錠を防止でき、かつピッキングによる鍵孔の破損も防止できる鍵孔封鎖装置を提供し、防犯性の向上を図ることを目的とする。
【０００８】
【課題を解決するための手段】
次に、上記の課題を解決するための手段を、実施の形態に対応する図面を参照して説明する。
この発明の請求項１記載の鍵孔封鎖装置２１，８１は、ドアノブ２７に設けられた施錠装置の鍵孔３１を封鎖する鍵孔封鎖装置２１，８１であって、
前記鍵孔３１に挿入されるダミーキーＡと、
一対の脚板３５，３７の一端部同士が回動自在に連結固定され他端部が開脚自在となり中央部に前記ドアノブ２７の基軸２７ｂを挟む湾曲部３９の形成された挟着具Ｂと、
該挟着具Ｂの他端部に螺合して該他端部の開脚を阻止することで該挟着具Ｂを前記基軸２７ｂへ脱落不能に挟着するネジ杆Ｃと、
相互に係止・離脱可能となりいずれか一方が前記挟着具Ｂの一端部に固設されかつ特定の操作のみによって係止が解除されるロック機構部材Ｄ及び着脱部材Ｅと、
前記ダミーキーＡに挿通され一端部が前記ネジ杆Ｃに固定され他端部が前記ロック機構部材Ｄ又は着脱部材Ｅのいずれか他方に固定され前記鍵孔３１からの前記ダミーキーＡの抜脱を阻止する可撓線材Ｆと、
を具備したことを特徴とする。
【０００９】
この鍵孔封鎖装置２１，８１では、施錠装置を施錠した後、この施錠装置の鍵孔３１に、ダミーキーＡが挿入され、ロック機構部材Ｄと着脱部材Ｅとが係止されると、可撓線材Ｆの両端が固定状態となり、可撓線材Ｆに挿通されたダミーキーＡが鍵孔３１から抜脱不能となって、鍵孔３１が封鎖される。従って、施錠装置を解錠するには、その前に、ダミーキーＡを鍵孔３１から外さなければならず、その除去には施錠主の特定の操作によるロック機構部材Ｄと着脱部材Ｅとの係止解除が必要になる。このため、施錠装置の解錠の前に、まず、ダミーキーＡの除去が必要となり、施錠主以外の者は不正解錠を二重に行わなければならなくなり、不正解錠が困難となって、防犯性が高められる。また、鍵孔３１がダミーキーＡによって封鎖されるため、ダミーキーＡが抜脱されなければピッキングが行えず、最初から無条件でピッキングが行える場合に比べて、ピッキングによる鍵孔３１の破損が低減される。
【００１０】
請求項２記載の鍵孔封鎖装置２１，８１は、前記可撓線材Ｆが鎖であることを特徴とする。
【００１１】
この鍵孔封鎖装置２１，８１では、可撓線材Ｆが鎖であることにより、捩れが有効に作用し、鍵孔封鎖状態におけるネジ杆Ｃの回動が阻止される。つまり、ネジ杆Ｃを回動して可撓線材Ｆと挟着具とを螺合解除しようとしても、ネジ杆Ｃが回動されることにより鎖が捩れ、一定以上の回動が不能になって、挟着具Ｂとネジ杆Ｃとの螺合解除が不能になる。また、捩れによって鎖の全長が縮み、ダミーキーＡが鍵孔からさらに抜脱され難くなる。
【００１２】
請求項３記載の鍵孔封鎖装置８１は、前記挟着具Ｂの一端部と他端部の双方に、前記ロック機構部材Ｄ又は着脱部材Ｅの一方がそれぞれ固設され、
前記可撓線材Ｆの一端部と他端部の双方に、前記ロック機構部材Ｄ又は着脱部材Ｅの他方がそれぞれ固設されたことを特徴とする。
【００１３】
この鍵孔封鎖装置８１では、可撓線材Ｆの両端がロック機構部材Ｄ及び着脱部材Ｅを介して挟着具Ｂの両端に固定及び固定解除可能となり、可撓線材Ｆの一方がネジ杆Ｃを介して挟着具Ｂに固定される場合に比べ、挟着具Ｂからの可撓線材Ｆの容易な取り外しが可能になる。
なお、ダミーキーＡと可撓線材中間部とが固定されれば、いずれか一方の端部の固定が解除されても、他方の端部とダミーキーＡとが１／２の長さの可撓線材Ｆによって接続状態に維持され、鍵孔３１からのダミーキーＡの抜脱が阻止される。つまり、ダミーキーＡの抜脱には二つのロック機構部材Ｄの係止解除が必要になり、ダミーキーＡの不正な抜脱が一層困難なものとなる。
【００１４】
請求項４記載の鍵孔封鎖装置２１，８１は、前記ロック機構部材Ｄが、それぞれ所定の回転位置への回転によって前記着脱部材Ｅに対する係止を解除する複数の係止解除操作リング６３ａ〜６３ｄを有することを特徴とする。
【００１５】
この鍵孔封鎖装置２１，８１では、複数の係止解除操作リング６３ａ〜６３ｄのそれぞれが所定の回転位置に回転されることで、着脱部材Ｅに対するロック機構部材Ｄの係止が解除可能になる。すなわち、多数ある係止解除操作リング６３ａ〜６３ｄの一組の組み合わせでしか係止解除されず、キーを使用せずに、施錠主のみの特定の操作、例えばリング表面に刻印等にて形成される数字などを合わせる、いわゆる番号合わせによって係止解除が可能になる。
【００１６】
請求項５記載の鍵孔封鎖装置２１，８１は、前記ロック機構部材Ｇが、それぞれ所定のスライド位置への移動によって前記着脱部材Ｈに対する係止を解除する複数の係止解除操作スライダ９１ａ〜９１ｊを有することを特徴とする。
【００１７】
この鍵孔封鎖装置２１，８１では、複数の係止解除操作スライダ９１ａ〜９１ｊのそれぞれが所定の位置にスライド移動されることで、着脱部材Ｈに対するロック機構部材Ｇの係止が解除可能になる。すなわち、多数ある係止解除操作スライダ９１ａ〜９１ｊの一組の組み合わせでしか係止解除されず、キーを使用せずに、施錠主のみの特定の操作、例えば各スライダに割り当てられた数字などを合わせる、いわゆる番号合わせによって係止解除が可能になる。
【００１８】
【発明の実施の形態】
以下、本発明に係る鍵孔封鎖装置の好適な実施の形態を図面を参照して詳細に説明する。
図１は本発明に係る鍵孔封鎖装置の第一の実施の形態を表す側面図、図２は挟着具の正面図、図３は着脱部材と挟着具とネジ杆の斜視図、図４は着脱部材が係止解除された状態の鍵孔封鎖装置を表す側面図、図５は図１に示したロック機構部材の係止状態を（ａ），係止解除状態を（ｂ）で表した断面図である。
【００１９】
この第一の実施の形態の鍵孔封鎖装置２１は、ダミーキーＡと、挟着具Ｂと、ネジ杆Ｃと、ロック機構部材Ｄ及び着脱部材Ｅと、可撓線材Ｆとを主要な構成部材としてなる。
【００２０】
ダミーキーＡは、挿入部２３と、つまみ板部２５とからなる。挿入部２３は、ドアノブ２７に内蔵された施錠装置の、ドアノブ端面２７ａに開口する鍵孔３１に挿入される。ダミーキーＡの挿入部２３は所定長、例えば解錠キーと同等の長さを有することで、所定深さで鍵孔３１に挿入される。つまみ板部２５には透孔３３が穿設され、透孔３３には可撓線材Ｆが挿通される。
【００２１】
挟着具Ｂは、図２に示すように、一対の脚板３５，３７からなる。挟着具Ｂは、脚板３５，３７の一端部同士が回動自在に連結固定されることで、他端部が開脚自在となっている。双方の脚板３５，３７の中央部には、ドアノブ２７の基軸２７ｂを挟む湾曲部３９がそれぞれ形成されている。ドアノブ２７は、ノブ本体より基軸２７ｂが小外径となっている。従って、挟着具Ｂは、湾曲部３９によって基軸２７ｂを挟み、他端部の開脚が阻止されれば、ドアノブ２７からの離脱が不能となり、基軸２７ｂに挟着される。
【００２２】
図３に示すように、脚板３５，３７の他端部には開脚阻止部４１が設けられている。開脚阻止部４１は、一方の脚板３５に形成された一対のネジ挿入孔部４３，４５と、他方の脚板３７に形成された一つのネジ挿入孔部４７とからなる。ネジ挿入孔部４３，４５は、間隙４９を隔てて、同一軸線状に配置され、一方のネジ挿入孔部４５の内部には雌ネジ５１が形成されている。この一対のネジ挿入孔部４３，４５の間隙４９には、ネジ挿入孔部４７が同一軸線状に配置されるようになっている。
【００２３】
ネジ杆Ｃの先端には、ネジ挿入孔部４３とネジ挿入孔部４７に挿入されかつネジ挿入孔部４５の雌ネジ５１に螺合する雄ネジ５３が形成されている。つまり、挟着具Ｂは、ネジ挿入孔部４３とネジ挿入孔部４７に挿入されたネジ杆Ｃの雄ネジ５３がネジ挿入孔部４５の雌ネジ５１に螺合されることで、開脚が阻止され、基軸２７ｂへ脱落不能に挟着される。また、ネジ杆Ｃの螺合を解除すれば、脚板３５，３７が開脚自在となり、基軸２７ｂからの挟着具Ｂの脱着が可能となる。このネジ杆Ｃの基端には連結環５５が形成され、連結環５５には可撓線材Ｆの他端部が固定される。
【００２４】
なお、このネジ杆Ｃの先端は、挟着具Ｂの雌ネジ５１に螺合した状態で、加締めるものであってもよい。このような加締め構造とすることにより、挟着具Ｂからのネジ杆Ｃの脱落が防止できる。
【００２５】
図３に示すように、着脱部材Ｅは、先端に挿入杆５７を有している。挿入杆５７の外周には、軸線方向に並ぶ、複数（この実施の形態では４つ）の係止突起５９が突設されている。挿入杆５７の後端には連結環６１が形成され、連結環６１には可撓線材Ｆの一端部が固定される。
【００２６】
ロック機構部材Ｄには、図５に示す複数、この実施の形態では４つの係止解除操作リング６３ａ，６３ｂ，６３ｃ，６３ｄが設けられている。係止解除操作リング６３ａ〜６３ｄは、一対の台座部６５，６７の間でそれぞれが回動自在に支持されている。この係止解除操作リング６３ａ〜６３ｄ及び一方の台座部６７には軸線方向の挿入孔６９が形成されている。
【００２７】
係止解除操作リング６３ａ〜６３ｄのそれぞれの内周には、図５（ａ）に示すように、着脱部材Ｅの係止突起５９に係止する凸部７１が円周方向に突設されている。この凸部７１の円周方向の一部分には切欠７３が設けられ、この切欠７３は係止突起５９の通過を可能にしている。切欠７３は、図５（ｂ）に示すように、それぞれの係止解除操作リング６３ａ〜６３ｄの所定の回転位置で、直線状に配置されるようになっている。
【００２８】
従って、それぞれの係止解除操作リング６３ａ〜６３ｄの外周面の円周方向に刻印等により形成された一連の数字が所定の番号の組み合わせとなるように、係止解除操作リング６３ａ〜６３ｄが所定の回転位置に回転されることで、全ての切欠７３が直前状に整列され、凸部７１と係止突起５９との係止が解除されて、図４に示すように、着脱部材Ｅの挿入杆５７が、挿入孔６９から抜脱可能になる。つまり、ロック機構部材Ｄと挟着具Ｂとは、係止解除操作リング６３ａ〜６３ｄのそれぞれを所定の回転位置に合わせる特定の操作のみによって係止が解除されるようになっている。この実施の形態では、この係止解除操作リング６３ａ〜６３ｄを有したロック機構部材Ｄが、挟着具Ｂの一端部に固設される。
【００２９】
可撓線材Ｆは、上記したように、両端がネジ杆Ｃと着脱部材Ｅとに固定される。本実施の形態では、この可撓線材Ｆが鎖からなる。この可撓線材Ｆの長さは、図１に示すように、ダミーキーＡに挿通されてネジ杆Ｃと着脱部材Ｅとを結ぶ最短長で形成されている。従って、可撓線材Ｆは、一端部がネジ杆Ｃに固定され、他端部に固定された着脱部材Ｅがロック機構部材Ｄに係止されることで、鍵孔３１からのダミーキーＡの抜脱を阻止するようになっている。
【００３０】
なお、可撓線材Ｆは、上記した鎖の他、ワイヤー等であってもよい。可撓線材Ｆは、ワイヤーの場合であっても、捩れが有効に作用し、鍵孔封鎖状態におけるネジ杆Ｃの回動が阻止される。
【００３１】
従って、この鍵孔封鎖装置２１によれば、施錠装置を施錠した後、この施錠装置の鍵孔３１に、ダミーキーＡが挿入され、ダミーキーＡに挿通された可撓線材Ｆの一端がロック機構部材Ｄに係止されると、ダミーキーＡが抜脱不能となり、鍵孔３１が封鎖される。従って、施錠装置を解錠するには、その前に、ダミーキーＡを鍵孔３１から外さなければならず、その除去には施錠主による特定の操作、すなわち、係止解除操作リング６３ａ〜６３ｄによる番号合わせが必要になる。
【００３２】
このため、施錠装置の解錠の前に、まず、ロック機構部材Ｄの解除が必要となり、施錠主以外の者は不正解錠を二重に行わなければならず、不正解錠が困難となって、防犯性が高められる。
また、鍵孔３１が封鎖されるため、ピッキングが行えず、最初から無条件でピッキングが行える場合に比べて、ピッキングによる鍵孔３１の破損を低減させることができる。
【００３３】
また、ロック機構部材Ｄは、複数の係止解除操作リング６３ａ〜６３ｄのそれぞれが所定の回転位置に回転されることで、着脱部材Ｅとの係止が解除されるので、多数ある係止解除操作リング６３ａ〜６３ｄの一組の組み合わせでしか着脱部材Ｅが抜脱できず、施錠主のみの特定の操作、すなわち番号合わせによる、キーを使用しない係止解除が可能になる。
【００３４】
さらに、可撓線材Ｆが鎖からなることにより、捩れが有効に作用し、鍵孔封鎖状態におけるネジ杆Ｃの回動が阻止される。つまり、ネジ杆Ｃを回動して可撓線材Ｆと挟着具Ｂとを螺合解除しようとしても、ネジ杆Ｃが回動されることにより鎖が捩れ、一定以上の回動が不能になって、挟着具Ｂとネジ杆Ｃとの螺合解除が不能になる。また、捩れによって鎖の全長が縮み、ダミーキーＡが鍵孔３１からさらに抜脱され難くなる。
【００３５】
そして、可撓線材Ｆの他端部と、挟着具Ｂとをネジ杆Ｃによって結合するので、ネジ杆Ｃの回動によって着脱部材Ｅと、挟着具Ｂの他端部とを結ぶ経路長を調整することが可能になる。これにより、可撓線材Ｆの弛みを除去したり、異なるドアノブへの装着も対応可能にすることができる。
【００３６】
次に、本発明に係る鍵孔封鎖装置の第二の実施の形態を説明する。
図６は本発明に係る鍵孔封鎖装置の第二の実施の形態を表す側面図である。なお、図１〜図５に示した部材と同一の部材には同一の符号を付し、重複する説明は省略するものとする。
【００３７】
この実施の形態による鍵孔封鎖装置８１は、挟着具Ｂの一端部と他端部の双方に、ロック機構部材Ｄがそれぞれ固設され、可撓線材Ｆの一端部と他端部の双方に、着脱部材Ｅがそれぞれ固設されている。なお、この実施の形態においては、挟着具Ｂは、開脚不能となって基軸２７ｂに挟着される。
【００３８】
この鍵孔封鎖装置８１によれば、可撓線材Ｆの両端がロック機構部材Ｄ及び着脱部材Ｅを介して挟着具Ｂの両端に固定及び固定解除可能となり、可撓線材Ｆの一方がネジ杆Ｃを介して挟着具Ｂに固定される場合に比べ、挟着具Ｂからの可撓線材Ｆの容易な取り外しが可能になる。これにより、容易に見栄えの向上を図ることができる。
【００３９】
また、ダミーキーＡと、可撓線材中間部８３とを固定すれば、いずれか一方の端部の固定が解除されても、他方の端部とダミーキーＡとが１／２の長さの可撓線材Ｆによって接続状態に維持され、鍵孔３１からのダミーキーＡの抜脱を阻止することができる。つまり、ダミーキーＡの抜脱には二つのロック機構部材Ｄの係止解除が必要になり、ダミーキーＡの不正な抜脱を一層困難なものにすることができる。
【００４０】
次に、本発明に係る鍵孔封鎖装置の第三の実施の形態を説明する。
図７は本発明に係る鍵孔封鎖装置の第三の実施の形態に用いられるロック機構部材及び着脱部材の斜視図、図８は図７に示したロック機構部材及び着脱部材の係止状態を（ａ），係止解除状態を（ｂ）で表した断面図である。
【００４１】
この実施の形態による鍵孔封鎖装置は、ロック機構部材及び着脱部材の構成が上記の鍵孔封鎖装置２１，８１と異なる。すなわち、この実施の形態による鍵孔封鎖装置に用いられるロック機構部材Ｇには、複数、本実施の形態では１０個の係止解除操作スライダ９１ａ〜９１ｊが設けられている。各係止解除操作スライダ９１ａ〜９１ｊは、それぞれ略ピン状に形成され、略板状に形成される基部９３に対して、その板面に対して直交する方向を軸方向として、この軸方向に摺動移動自在とされ、基部９３を貫通して配設されている。
【００４２】
基部９３の一方の面には、各係止解除操作スライダ９１ａ〜９１ｊに近接して０〜９の数字が刻印され、各係止解除操作スライダ９１ａ〜９１ｊに０〜９の数字が割り当てられている。
【００４３】
基部９３の内部には挿入空間９５が形成され、挿入空間９５は基部９３の一側面で開口部９７となって開口されている。この挿入空間９５には開口部９７を介して着脱部材Ｈが挿入される。
上記の本実施の形態の各係止解除操作スライダ９１ａ〜９１ｊは、図８に示すように、この着脱部材Ｈの挿入方向と並行な方向で３列に配置されている。着脱部材Ｈの挿入部９９ａ，９９ｂは、この３列に並んだ係止解除操作スライダ９１ａ〜９１ｃ列と、係止解除操作スライダ９１ｄ〜９１ｇ列との間、及び係止解除操作スライダ９１ｄ〜９１ｇ列と、係止解除操作スライダ９１ｈ〜９１ｊ列との間にそれぞれ挿入されるように二股に分離されている。
【００４４】
各係止解除操作スライダ９１ａ〜９１ｊは、スライドされることにより、基部９３の一方の面又は他方の面のいずれかに突出される。各係止解除操作スライダ９１ａ〜９１ｊには、挿入空間９５に配置される図８（ａ）に示す大径部１０１が形成されている。また、各係止解除操作スライダ９１ａ〜９１ｊには、一方の面又は他方の面のいずかにスライドされた状態で、挿入空間９５に配置される半円部１０３又は小径部１０５が形成されている。
【００４５】
一方、着脱部材Ｈには、挿入空間９５に挿入された状態で、この大径部１０１に係止する複数、本実施の形態では１０個の係止凹部１０７が形成されている。この係止凹部１０７は、大径部１０１のみに係止して、半円部１０３及び小径部１０５には係止されないようになっている。
【００４６】
従って、ロック機構部材Ｇと着脱部材Ｈとは、各係止解除操作スライダ９１ａ〜９１ｊが、所定の番号の組み合わせで、基部９３の一方の面から他方の面へスライドされることで、図８（ｂ）に示すように、挿入空間９５において半円部１０３と小径部１０５のみが配置され、係止凹部１０７への係止が解除されて着脱部材Ｈが抜脱可能になる。
【００４７】
この鍵孔封鎖装置によれば、係止解除操作スライダ９１ａ〜９１ｊのいずれかの大径部１０１が挿入空間９５に配置されるときには着脱部材Ｈが係止状態となり、ロック機構部材Ｇからの抜脱が阻止される一方、番号合わせにより所定の係止解除操作スライダ９１ａ〜９１ｊがスライドされて、挿入空間９５に半円部１０３及び小径部１０５のみが配置されることで、着脱部材Ｈへの係止が解除されて、着脱部材Ｈを抜脱することができる。従って、ロック機構部材Ｇと着脱部材Ｈとの係止を解除するには、施錠主による特定の操作、すなわち、係止解除操作スライダ９１ａ〜９１ｊによる特定の番号合わせが必要になる。
【００４８】
このため、上記の実施の形態と同様に、施錠装置の解錠の前に、まず、ロック機構部材Ｇと着脱部材Ｈとの係止解除が必要となり、施錠主以外の者は不正解錠を二重に行わなければならず、不正解錠が困難となって、防犯性が高められる。また、所定の係止解除操作スライダ９１ａ〜９１ｊをスライドすることで係止が解除可能となるので、多数ある係止解除操作スライダ９１ａ〜９１ｊの一組の組み合わせでしか係止解除されず、施錠主のみの特定の操作、すなわち番号合わせにより、キーを使用しない係止解除が可能になる。
【００４９】
【発明の効果】
以上詳細に説明したように、本発明に係る鍵孔封鎖装置によれば、鍵孔に挿入されるダミーキーと、ドアノブの基軸を挟む挟着具と、この挟着具の他端部に螺合して挟着具を基軸へ挟着するネジ杆と、いずれか一方が挟着具の一端部に固設されるロック機構部材及び着脱部材と、ダミーキーに挿通され一端部がネジ杆に固定され他端部がロック機構部材又は着脱部材の他方に固定される可撓線材とを設けたので、施錠装置を施錠した後、鍵孔にダミーキーを挿入して、ロック機構部材と着脱部材とを係止することで、ダミーキーが鍵孔から抜脱不能となって、鍵孔を封鎖することができる。
【００５０】
従って、施錠装置を解錠するには、その前に、ダミーキーを鍵孔から外さなければならず、その除去には施錠主の特定の操作によるロック機構部材と着脱部材との係止解除が必要になる。このため、施錠装置の解錠の前に、さらに鍵孔封鎖装置の解除が必要となり、施錠主以外の者は不正解錠を二重に行わなければならず、不正解錠を困難にして、防犯性を向上させることができる。
【００５１】
また、鍵孔を封鎖できるので、ピッキングが行えず、最初から無条件でピッキングが行える場合に比べて、ピッキングによる鍵孔の破損を低減させることができる。
【００５２】
さらに、ドアノブに施錠装置を備える既設のものに対して、容易に装着が可能であり、ピッキングによる不正解錠の防止を簡便に実現でき、防犯性の向上を図れる。
【図面の簡単な説明】
【図１】本発明に係る鍵孔封鎖装置の第一の実施の形態を表す側面図である。
【図２】挟着具の正面図である。
【図３】着脱部材と挟着具とネジ杆の斜視図である。
【図４】着脱部材が係止解除された状態の鍵孔封鎖装置を表す側面図である。
【図５】図１に示したロック機構部材の係止状態を（ａ），係止解除状態を（ｂ）で表した断面図である。
【図６】本発明に係る鍵孔封鎖装置の第二の実施の形態を表す側面図である。
【図７】本発明に係る鍵孔封鎖装置の第三の実施の形態に用いられるロック機構部材及び着脱部材の斜視図である。
【図８】図７に示したロック機構部材及び着脱部材の係止状態を（ａ），係止解除状態を（ｂ）で表した断面図である。
【図９】ピンタイプのタンブラーを有するピンシリンダーの施錠状態の正面視を（ａ），断面を（ｂ）で示した説明図である。
【図１０】ピンタイプのタンブラーを有するピンシリンダーの解錠状態の正面視を（ａ），断面を（ｂ）で示した説明図である。
【符号の説明】
２１，８１…鍵孔封鎖装置
２７…ドアノブ
２７ａ…端面
２７ｂ…基軸
３１…鍵孔
３５，３７…一対の脚板
３９…湾曲部
６３ａ〜６３ｄ…係止解除操作リング
９１ａ〜９１ｊ…係止解除操作スライダ
Ａ…ダミーキー
Ｂ…挟着具
Ｃ…ネジ杆
Ｄ…ロック機構部材
Ｅ…着脱部材
Ｆ…鎖（可撓線材）
【図１】
0004231629.tif 000002
【図２】
0004231629.tif 000003
【図３】
0004231629.tif 000004
【図４】
0004231629.tif 000005
【図５】
0004231629.tif 000006
【図６】
0004231629.tif 000007
【図７】
0004231629.tif 000008
【図８】
0004231629.tif 000009
【図９】
0004231629.tif 000010
【図１０】
0004231629.tif 000011